(57)【要約】【課題】取付け、取り外しが容易で将来的なリフォーム等に対応できる造作部材及びその施工方法を提供する。【解決手段】床面８または天井面（不図示）と壁面９との交差部に沿って該壁面に取り付けられる造作部材（１）であって、前記壁面に沿って配設される帯状板体の造作部材基部（２）と、該造作部材基部から２股に分岐して形成された分岐部３とを備え、前記分岐部は、前記２股の一方であり前記壁面に固定具６で固定される壁固定部４と、前記２股の他方であり前記壁固定部を覆い隠すように前記壁固定部の前方に設けられ前記造作部材基部との分岐点を支点３０として回動自在に形成されたカバー部５とを有し、前記カバー部は、前記壁固定部に係止されて固定され、該固定された状態において前記造作部材基部の前面（２ａ）と前記カバー部の前面５ａとが略面一となることを特徴とする。【選択図】図１
2017141615.tif 000002
【特許請求の範囲】
【請求項１】
床面または天井面と壁面との交差部に沿って該壁面に取り付けられる造作部材であって、
前記壁面に沿って配設される帯状板体の造作部材基部と、該造作部材基部から２股に分岐して形成された分岐部とを備え、
前記分岐部は、前記２股の一方であり前記壁面に固定具で固定される壁固定部と、前記２股の他方であり前記壁固定部を覆い隠すように前記壁固定部の前方に設けられ前記造作部材基部との分岐点を支点として回動自在に形成されたカバー部とを有し、
前記カバー部は、前記壁固定部に係止されて固定され、該固定された状態において前記造作部材基部の前面と前記カバー部の前面とが略面一となることを特徴とする造作部材。
【請求項２】
請求項１において、
前記カバー部の背面側には、前記壁固定部の端面に覆い被さって係止される被係止部が形成されていることを特徴とする造作部材。
【請求項３】
請求項１又は請求項２において、
前記支点は、前記カバー部の基部を他の部位より薄肉にすることで形成されており、
前記支点の前記カバー部における前面側は、前記造作部材基部に形成された表面凹溝の一方の入隅角部とされていることを特徴とする造作部材。
【請求項４】
請求項１〜請求項３のいずれか１項に記載の造作部材の施工方法であって、
前記造作部材を前記壁面の所定の取り付け位置に配設し、前記壁固定部に前方から固定具を打ち込んで前記壁面に固定した後、前記カバー部を前記壁固定部に係止した際に壁紙の端面が隠れる位置まで前記壁紙を貼り、その後、前記カバー部を前記壁固定部に係止させて前記固定具を塞いだ状態で固定することを特徴する造作部材の施工方法。
【発明の詳細な説明】
【技術分野】
【０００１】
本発明は、床面または天井面と壁面との交差部に沿って壁面に取り付けられる造作部材及びその施工方法に関する。
【背景技術】
【０００２】
上記のような造作部材としては、住宅等の建物の壁面と床面との交差部に沿って配設される幅木や、壁面と天井面との交差部に沿って配設される廻り縁などが知られている。
例えば、下記特許文献１には、壁面に固定される壁当接部と、天井に当接する天井当接部と、天井当接部に係止される蓋部とを備えた廻り縁が開示されている。ここに開示されている蓋部は、壁当接部にヒンジを介して連結され、天井当接部に形成された係合凹部に係止される係止部を有している。
【先行技術文献】
【特許文献】
【０００３】
【特許文献１】実開平５−８７１３７号公報
【発明の概要】
【発明が解決しようとする課題】
【０００４】
しかしながらこのような造作部材は、壁面に造作部材を取り付けた後、壁面に壁紙（クロス）を貼ると、壁紙がその端部から剥がれしまうことがある。そこで、造作部材の端部と壁紙の端部との間にコーキング剤を塗布する場合があるが、これでは、造作部材を壁面に取り付けた後にコーキングする手間が発生する。またコーキング剤を塗布してしまうと将来的なリフォーム時に容易に取り外しができず、壁紙を傷めることになる。
【０００５】
本発明は、上記実情に鑑みてなされたものであり、取付け、取り外しが容易で将来的なリフォーム等に対応できる造作部材及びその施工方法を提供することを目的としている。
【課題を解決するための手段】
【０００６】
前記目的を達成するために、本発明に係る造作部材は、床面または天井面と壁面との交差部に沿って壁面に取り付けられる造作部材であって、壁面に沿って配設される帯状板体の造作部材基部と、造作部材基部から２股に分岐して形成された分岐部とを備え、分岐部は、２股の一方であり壁面に固定具で固定される壁固定部と、２股の他方であり壁固定部を覆い隠すように壁固定部の前方に設けられ造作部材基部との分岐点を支点として回動自在に形成されたカバー部とを有し、カバー部は、壁固定部に係止されて固定され、固定された状態において造作部材基部の前面とカバー部の前面とが略面一となることを特徴とする。
【発明の効果】
【０００７】
本発明に係る造作部材及びその施工方法は、上述のような構成としたことで、取付け、取り外しが容易で将来的なリフォーム等に対応できる。
【図面の簡単な説明】
【０００８】
【図１】（ａ）及び（ｂ）は、本発明の一実施形態に係る造作部材及びその施工方法を説明するための図であり、（ａ）は同造作部材を模式的に示した概略断面図であり、（ｂ）は同造作部材を模式的に示した概略斜視図である。
【図２】本発明の一実施形態に係る造作部材及びその施工状態を説明するための図であり、同造作部材を模式的に示した概略断面図である。
【図３】同造作部材及びその施工状態を説明するための図であり、同造作部材を模式的に示した概略斜視図である。
【発明を実施するための形態】
【０００９】
以下に本発明の実施の形態について、図面に基づいて説明する。
図１〜図３は、本実施形態に係る造作部材及びその施工方法について説明するための説明図である。なお、一部の図では、他図に付している詳細な符号の一部を省略している。また、以下の実施形態では、造作部材を壁面に設け、壁面に対面した状態を基準として、手前側を前方、その逆側を後方とし、また、その状態を基準として、上下方向及び左右方向等の方向を説明する。
【００１０】
本実施形態では、図１に示すように、造作部材として幅木１を示しており、この幅木１は、従来の幅木と同様に、屋内の居室や廊下などの床面８と壁面９との交差部に沿って設けられる帯板部材である。幅木１は、造作部材基部を構成し壁面９に沿って配設される帯状板体の幅木基部２と、幅木基部２から２股に分岐して形成された分岐部３と、幅木基部２と床面８との隙間に配設される不陸調整部７とを備えている。
分岐部３は、２股の一方であり壁面９に固定具６で固定される壁固定部４と、２股の他方であり壁固定部４を覆い隠すように壁固定部４の前方に設けられ幅木基部２との分岐点を支点３０として回動自在に形成されたカバー部５とを有している。カバー部５は、壁固定部４に係止されて固定され、該固定された状態において幅木基部２の前面２ａとカバー部５の前面５ａとが図２及び図３に示すように略面一となる。以下、詳しく説明する。
【００１１】
図例の幅木基部２及び分岐部３は、これらを一部材として帯状に比較的長尺に形成されている。幅木基部２及び分岐部３は、分岐部３に設けられたカバー部５が壁固定部４に係止され且つ回動自在に形成できれば特に材質は限定されないが、例えば、押し出し成型による合成樹脂系材料から製されたものとしてもよい。合成樹脂系材料の具体的な材料としては、特に限定はされないが、例えばＡＢＳ樹脂、ポリスチレン、ポリ塩化ビニル等が挙げられる。要は、カバー部５が幅木基部２と分岐部３との分岐点を支点３０として回動自在にできる材料が好適に用いられる。
【００１２】
図中、２ａは幅木基部２の前面、２ｂは幅木基部２の背面、２ｃは幅木基部２の下端面、２ｄは幅木基部２の上方縁部を示している。幅木基部２の前面２ａの上方部位（幅木１全体でみたときには、幅木１の前面の略中央部位）には、長手方向に沿って、前方に向けて開口した断面略逆台形状の表面凹溝２０が形成されている。図中、２０ａは表面凹溝２０の一方の入隅角部（上方側の入隅角部）、２０ｂは表面凹溝２０の他方の入隅角部（下方側の入隅角部）を示しており、幅木基部２の上方縁部２ｄは、表面凹溝２０の下方縁部ともいえる。なお、図では幅木基部２に一本の表面凹溝２０を有したものを例示しているが、幅木１に複数本の表面凹溝を有したものとしてもよいし、形成位置も前面の略中央部位に限定されず、略中央位置から上方よりでも、下方よりでもよい。本実施形態においてはカバー部５が回動する支点３０は、この表面凹溝２０の一方の入隅角部２０ａ、すなわち表面凹溝２０の上方側の入隅角部とされている（図２・Ｙ部拡大図参照）。図例のものと比べて、表面凹溝２０の形成位置が幅木１の前面の略中央部位より上方であると分岐部３の形成領域が小さくなる。一方、表面凹溝２０の形成位置が幅木１の前面の略中央部位より下方であると分岐部３の形成領域が大きくなることになる。表面凹溝２０の断面形状は、図例のような逆台形状とされたものに限られず、Ｖ字形状やＵ字形状、半円形状等、支点３０を形成できる形状であればよい。
【００１３】
幅木基部２の下端面２ｃには不陸調整部７が設けられている。不陸調整部７は、図１（ｂ）に示すように幅木基部２の長さ寸法に応じて長尺に形成されている。不陸調整部７は、床面８の不陸を吸収するように例えば軟質で弾性を有したゴムや軟質合成樹脂等のエラストマー系樹脂材料から製されたものとしてもよい。不陸調整部７は、幅木基部２の下端面２ｃに形成された凹所に嵌合される構造としてもよいし、幅木基部２の下端面２ｃに接着剤等で接着されるようにしてもよい。図例の不陸調整部７は、断面半円形状とされたものを示しており、その内部を中空とすれば、弾性変形しやすく、床面８の不陸を吸収でき、好適であるが、そのような形状に限定されるものではない。
【００１４】
分岐部３は、幅木基部２から２股に分岐して形成されており、２股のうち一方は壁面９側に配される壁固定部４とされ、２股のうち他方は幅木基部２との分岐点を支点３０としたカバー部５とされている。壁固定部４は図１（ａ）及び図１（ｂ）に示すように帯板状体からなり、壁固定部４の前面４ａの所定位置（壁面９の柱９０が配されいてる箇所に対応する位置）から固定具６を挿通させて壁固定部４を壁面９に固定する。固定具６は木ネジ、釘やビス等が用いられる。図中４ａは壁固定部４の前面、４ｂは壁固定部４の背面、４ｃは壁固定部４の上端面、６ａは固定具６の頭部、６ｂは固定具６のねじ部、９は石膏ボード等の壁面、９０は柱（間柱）、１０は壁面９に貼り付けられる壁紙（クロス）を示している。壁固定部４の前面４ａはカバー部５で覆い隠され、背面４ｂは壁面９に接して配設される。壁固定部４の上端面４ｃは、図２のＸ部拡大図に示すように壁面９に向けて下方に傾斜して形成されており、この上端面４ｃにカバー部５の被係止部５０が係止される。
【００１５】
カバー部５は、壁固定部４を覆い隠すように壁固定部４の前方に設けられている。カバー部５は、壁固定部４の上端面４ｃに覆い被さって係止される被係止部５０と、被係止部５０を上方から覆い隠す被覆部５１と、前面を構成する平板状のカバー本体部５２とを有する。図中、５ａはカバー部５の前面、５ｂはカバー部５の背面、５ｃはカバー部５の下方縁部、５ｄはカバー部５の基部を示しており、カバー部５の下方縁部５ｃは、表面凹溝２０の上方縁部ともいえる。被係止部５０は、カバー部５の背面５ｂ側に突出して形成されており、壁固定部４の上端面４ｃに覆い被さって係止するように鉤状に形成されている。被係止部５０の下方面５０ａ（図２・Ｘ部拡大図参照）は、壁固定部４の上端面４ｃの形状に沿うように壁面９に向けて下方に傾斜して形成されている。これにより、被係止部５０は壁固定部４の上端面４ｃに一旦係止されれば、容易に壁固定部４から外れないようにすることができる。また壁面９に幅木１が取り付けられた状態ではカバー部５を壁固定部４に係止される被係止部５０が見えず、見栄えがよい。被覆部５１は、カバー部５の上端部を構成し、被覆部５１の端部は面取り形状に形成されている。平板状のカバー本体部５２は、壁固定部４に係止されて固定された状態おいては、幅木基部２の前面２ａと略面一となる。
【００１６】
支点３０は、カバー部５の基部５ｄ（図２Ｙ部拡大図参照）を他の部位より薄肉にすることで形成されている。すなわち、支点３０のカバー部５の基部５ｄにおける背面５ｂ側には、背面５ｂ側の下方端部５ｂａから前方に且つ斜め下に傾斜して切り込まれた切り込み部５ｂｂが形成されている。また、支点３０のカバー部５における前面５ａ側は、上述したとおり、幅木基部２に形成された表面凹溝２０の上方側の入隅角部２０ａとされている。これにより、図２のＹ部拡大図に示すようにカバー部５の基部５ｄが他の部位より薄肉に形成されており、このように形成されているので、入隅角部２０ａを支点３０として点線Ｗで示す箇所が手前側に谷折りとすることができる。そして、これによりカバー部５が前後方向（図１（ａ）の白抜矢印参照）に回動自在とすることができる。このとき、カバー部５の回動角度、すなわち支点３０を起点としてカバー部５をどの程度まで折り倒すことができるかは特に限定されない。後述するように幅木１の施工時において、壁固定部４に固定具６を打ち込み作業する際に、カバー部５が邪魔にならないように支点３０を起点としてカバー部５を前方に折り倒すことができればよい。
【００１７】
以上のような構成によれば、幅木１は固定具６で固定された壁固定部４を覆い隠すカバー部５を有しているので、幅木１を壁面９に取り付けた状態では固定具６が見えず、一見すると従前からよく知られた幅木１と変わらない幅木形状を構成することができる。また、以上のように、カバー部５は容易に回動自在とされているので、幅木１の取付け、取り外しを容易することができ、以上のような構成によれば、カバー部５を回動させる支点３０が幅木１の外観上目立つこともない。
【００１８】
次に図を参照しながら、幅木１の取付け施工方法について説明する。
まずは、幅木１を床面８と壁面９との交差部の所定の取り付け位置に配設する。カバー部５は壁固定部４に係止させず、固定具６を打ち込みやすみように支点３０を起点として前方側に折り倒された状態とし、その状態で壁固定部４に前方から固定具６を順次打ち込んで壁面９に固定する。このとき、固定具６は壁面９の柱９０が配されいてる箇所に向けて打ちこまれる。その後、カバー部５を壁固定部４に係止した際に壁紙１０の端部１０ａ（図１（ａ）及び図１（ｂ）参照）がカバー部５によって隠れる位置まで壁紙１０を貼る。そしてその後、カバー部５の被係止部５０を壁固定部４の上端面４ｃに係止させて、カバー部５で壁固定部４及び固定具６を塞いだ状態に覆い隠せば、幅木１を壁面９に取付けることができる（図２及び図３参照）。
【００１９】
続いて図を参照しながら、幅木１の取り外し施工方法について説明する。
幅木１を取り外す際には、壁固定部４に係止されている支点３０を起点としてカバー部５を前方に回動させる。すると容易にカバー部５の係止状態が解除される（図１（ａ）及び図１（ｂ）参照）。カバー部５を前方に折り倒した状態とし、カバー部５が邪魔にならないように押さえながら、壁固定部４に挿通されている固定具６を順次外していけば、幅木１を壁面９から取り外すことができる。
【００２０】
上述のように以上の施工方法によれば、幅木１の取付け、取り外しが容易できる。また、以上の取付け施工方法によれば壁固定部４を壁面９に固定し、カバー部５を壁固定部４に係止させる前に壁紙１０を所定位置（カバー部５を壁固定部４に係止した際に壁紙１０の端部１０ａ（図１（ａ）、図１（ｂ）参照）が隠れる位置）まで貼り付けるようにしている。よって、壁紙１０の端部１０ａの剥がれを防止できる。そしてたとえ経年劣化等に起因して壁紙１０の端部１０ａに剥がれが生じてもカバー部５が押さえとなり、剥がれ部分は覆い隠すことができる。またこのように壁紙１０の端部１０ａの剥がれを心配することがないので、幅木１と壁紙１０との隙間にコーキング剤を塗布する必要がなくなり、施工の手間を省くことができる。さらに、この場合、該隙間にコーキング剤が塗布されていないので、将来的にリフォームをする際に壁紙１０を傷めることなく容易に幅木１のみを壁面９から取り外すことができる。
【００２１】
尚、上記実施形態では、造作部材として、床面８と壁面９との交差部に沿って壁面９に取着される幅木１について説明したがこれに限定されない。例えば、造作部材を、天井面と壁面９との交差部に沿って配設される廻り縁としてもよい。この場合は、以上で説明した上下の方向を逆転させて把握し、上記した床面を天井面として、幅木基部２を、廻り縁基部として把握すればよい。また幅木基部２、壁固定部４、カバー部５の形状、構成等は図例に限定されるものではない。例えばカバー部５の被覆部５１の端部は面取り形状でなく、湾曲形状であってもよい。さらに施工時の壁紙１０の端部１０ａの位置は、図例に限定されず、要はカバー部５を壁固定部４に係止させたときに端部１０ａが見えない位置にまで貼着されていればよい。不陸調整部７の形状、構成等も図例のように幅木基部２と別部材とし接合一体化したものに限られず、これらを二色成形（異材質成形）等によって、一体的に形成したものとしてもよい。
【符号の説明】
【００２２】
１          幅木（造作部材）
２          幅木基部（造作部材基部）
２ａ        前面
３          分岐部
３０        支点
４          壁固定部
５          カバー部
５ａ        前面
５０        被係止部
６          固定具
８          床面
９          壁面
【図１】
2017141615.tif 000003
【図２】
2017141615.tif 000004
【図３】
2017141615.tif 000005